(57)【要約】  本発明は、ユーザの感情識別データに基づいてロボットの感情データを更新し、ロボットがユーザに感情を持つフィードバックを与えることができるようにさせ、且つロボットの感情データを絶えず更新でき、ユーザの体験を向上させたロボットの感情データ更新方法及びシステムを提供する。ロボットの感情データ更新方法は、ユーザによって入力された多様な形式のデータであるマルチモード入力データを取得し、その後、ユーザによって入力された多様な形式のデータに基づき、感情識別を行い、識別されたユーザのマルチモード感情データを得、そして、識別されたユーザのマルチモード感情データを融合して、ユーザの感情データ予測結果を得、最後に、ロボットの感情データを記述するためのロボット感情属性テーブルを取得し、ユーザの感情データ予測結果に基づき、ロボットの感情データを更新する。【選択図】図１
2018534641.tif 000002
【特許請求の範囲】
【請求項１】
ユーザによって入力された多様な形式のデータであるマルチモード入力データを取得するステップＳ１と、
前記ユーザによって入力された多様な形式のデータに基づき、感情識別を行い、識別されたユーザのマルチモード感情データを得るステップＳ２と、
前記識別されたユーザのマルチモード感情データを融合して、前記ユーザの感情データ予測結果を得るステップＳ３と、
ロボットの感情データを記述するためのロボット感情属性テーブルを取得し、前記ユーザの感情データ予測結果に基づき、前記ロボットの感情データを更新するステップＳ４と、を含むことを特徴とするロボットの感情データ更新方法。
【請求項２】
前記ロボットの感情データがロボットの言語データ及び表情データを含むことを特徴とする請求項１に記載のロボットの感情データ更新方法。
【請求項３】
前記ステップＳ４には、
ロボットの感情データを記述するためのロボット感情属性テーブルを取得し、且つ前記ロボット感情属性テーブルによってロボットの言語データ及び表情データを得るステップＳ４１と、
前記ユーザの感情データ予測結果に基づき、前記ロボットの言語データを更新して、前記ロボットの言語データの更新結果を得るステップＳ４２と、
前記ユーザの感情データ予測結果に基づき、前記ロボットの表情データを更新して、前記ロボットの表情データの更新結果を得るステップＳ４３と、を更に含むことを特徴とする請求項２に記載のロボットの感情データ更新方法。
【請求項４】
前記マルチモード入力データは、音声入力データ、テキスト入力データ、画像入力データ、手振り識別データのうちの少なくとも一方であることを特徴とする請求項１に記載のロボットの感情データ更新方法。
【請求項５】
前記ロボット感情属性テーブルは、前記ロボットの属性情報を含む前記ロボットの知識マップによって取得されたものであることを特徴とする請求項１に記載のロボットの感情データ更新方法。
【請求項６】
ユーザによって入力された多様な形式のデータであるマルチモード入力データを取得するためのデータ取得モジュールと、
前記ユーザによって入力された多様な形式のデータに基づき、感情識別を行い、識別されたユーザのマルチモード感情データを得るためのユーザ感情データ識別モジュールと、
前記識別されたユーザのマルチモード感情データを融合して、前記ユーザの感情データ予測結果を得るためのユーザ感情データ予測モジュールと、
ロボットの感情データを記述するためのロボット感情属性テーブルを取得し、前記ユーザの感情データ予測結果に基づき、前記ロボットの感情データを更新するためのロボット感情データ更新モジュールと、を含むことを特徴とするロボットの感情データ更新システム。
【請求項７】
前記ロボットの感情データがロボットの言語データ及び表情データを含むことを特徴とする請求項６に記載のロボットの感情データ更新システム。
【請求項８】
前記ロボット感情データ更新モジュールには、
ロボットの感情データを記述するためのロボット感情属性テーブルを取得し、且つ前記ロボット感情属性テーブルによってロボットの言語データ及び表情データを得るためのロボットの感情データ取得モジュールと、
前記ユーザの感情データ予測結果に基づき、前記ロボットの言語データを更新して、前記ロボットの言語データの更新結果を得るための言語データ更新モジュールと、
前記ユーザの感情データ予測結果に基づき、前記ロボットの表情データを更新して、前記ロボットの表情データの更新結果を得るための表情データの更新モジュールと、を更に含むことを特徴とする請求項７に記載のロボットの感情データ更新システム。
【請求項９】
前記マルチモード入力データは、音声入力データ、テキスト入力データ、画像入力データ、手振り識別データのうちの少なくとも一方であることを特徴とする請求項６に記載のロボットの感情データ更新システム。
【請求項１０】
前記ロボット感情属性テーブルは、前記ロボットの属性情報を含む前記ロボットの知識マップによって取得されたものであることを特徴とする請求項６に記載のロボットの感情データ更新システム。
【発明の詳細な説明】
【技術分野】
【０００１】
本発明は、データ処理の分野に関し、特に、ロボットの感情データの処理に関する。
【背景技術】
【０００２】
近年、知能ロボット技術の急速な発展に伴い、ロボットの知能化は、人々が現時点で注目される焦点となっている。簡単に言えば、知能ロボットとは、人間の言語を理解でき、且つ人間の言語で操作者との対話を実現することができるロボットである。発生された状況を解析し、操作者からのすべての要求を満たすように自己の動作を調整することができるとともに、期待される動作を制定し、且つ不十分な情報と急速的に変化する環境の条件でこれらの動作を完成することができる。勿論、我々の人間の思い方にそっくりになるように求められれば無理であるため、予め設定されたモデルによってロボットに操作者からの要求に対して適当に応答させることが一般的である。
【０００３】
従来のロボットでは、一般に、自己認識の訓練が客観的事実に対する認識である。例えば、ロボットは、誰か、どこから来たか、家族等の情報を認識し、ロボットの自己認識の訓練は、操作者の感情に基づき自己認識を行い、更に、感情をもって応答することなく、ユーザからの指令に基づいて完成したものであり、且つ、訓練の方式が単一で、ロボットの自己認識が絶えず更新できない。
【発明の開示】
【発明が解決しようとする課題】
【０００４】
そのため、従来の技術において、ロボットは、ユーザの感情に基づき自己の認識を更新して感情をもって応答することができなく、且つロボットの自己認識の訓練の方式が単一で、絶えず更新できないという欠点があった。
【０００５】
本発明は、ユーザの感情識別データに基づいてロボットの感情データを更新する手段を採用し、ロボットがユーザに感情を持つフィードバックを与えることができるようにさせ、且つロボットの感情データを絶えず更新でき、ユーザの体験をより向上させるロボットの感情データ更新方法及びシステムを提供する。
【課題を解決するための手段】
【０００６】
前記技術課題を解決するために、本発明は、以下のような技術的解決手段を提供する。
第１の局面で、本発明は、
ユーザによって入力された多様な形式のデータであるマルチモード入力データを取得するステップＳ１と、
前記ユーザによって入力された多様な形式のデータに基づき、感情識別を行い、識別されたユーザのマルチモード感情データを得るステップＳ２と、
前記識別されたユーザのマルチモード感情データを融合して、前記ユーザの感情データ予測結果を得るステップＳ３と、
ロボットの感情データを記述するためのロボット感情属性テーブルを取得し、前記ユーザの感情データ予測結果に基づき、前記ロボットの感情データを更新するステップＳ４と、を含むロボットの感情データ更新方法を提供する。
【０００７】
本発明に係るロボットの感情データ更新方法の技術的解決手段は、まず、ユーザによって入力された多様な形式のデータであるマルチモード入力データを取得し、その後、ユーザによって入力された多様な形式のデータに基づき、感情識別を行い、識別されたユーザのマルチモード感情データを得、そして、識別されたユーザのマルチモード感情データを融合して、ユーザの感情データ予測結果を得、最後に、ロボットの感情データを記述するためのロボット感情属性テーブルを取得し、ユーザの感情データ予測結果に基づき、ロボットの感情データを更新することにある。
【０００８】
本発明におけるロボットの感情データ更新方法では、ユーザの感情識別データに基づいてロボットの感情データを更新する手段を採用し、ユーザによって入力された多様な形式のデータを識別することによって感情識別を行い、ユーザのマルチモード感情データを得た後、ユーザのマルチモード感情データを融合し、ここで、ロボットの感情データは、ロボット感情属性テーブルから取得された、予め人為設定された感情データであり、融合処理された後、予測される人の感情データを得、最後に、予測される人の感情データによって、予めに設定されたロボットの感情属性テーブルにおけるロボットの感情データを更新し、人の感情データに基づき、ロボットの感情データを更新することによって、ロボットの感情がもっと人の感情に近づくようにさせる。マルチモード入力データの持続増加によって、ロボットの感情データを絶えず更新し、ロボットの自己認識能力を絶えず向上させ、ユーザに対応する感情を持つフィードバックを与えることができ、且つ、絶えず更新することによって、ユーザの体験を向上させた。
【０００９】
更に、前記ロボットの感情データがロボットの言語データ及び表情データを含む。ロボットの感情データがロボットの言語データ及び表情データを含むことによって、人のように、ロボットも言語と表情によって感情を表現することが可能になる。
【００１０】
更に、前記ステップＳ４には、
ロボットの感情データを記述するためのロボット感情属性テーブルを取得し、且つ前記ロボット感情属性テーブルによってロボットの言語データ及び表情データを得るステップＳ４１と、
前記ユーザの感情データ予測結果に基づき、前記ロボットの言語データを更新して、前記ロボットの言語データの更新結果を得るステップＳ４２と、
前記ユーザの感情データ予測結果に基づき、前記ロボットの表情データを更新して、前記ロボットの表情データの更新結果を得るステップＳ４３と、を更に含む。
【００１１】
ロボットが同時に言語と表情によって感情を表現できる場合には、ロボットの言語データ及び表情データをそれぞれ更新する必要がある。ユーザの感情データ予測結果に基づき、ロボットの言語データ及び表情データを更新することによって、ロボットの感情データが人の感情データを基礎としてもっと人の感情に近づくようにさせることができる。
【００１２】
更に、マルチモード入力データは、音声入力データ、テキスト入力データ、画像入力データ、手振り識別データのうちの少なくとも一方である。マルチモード入力データとは、ユーザがロボットと対話する際に入力し、ユーザの感情が付けられたいくつかのデータである。このため、感情を表現するための手段は多く、音声や映像、テキスト、画像、手振りに大別され、ここで、言語入力も画像の形式に変換される。マルチモード入力データの形式が多いほど、ロボットの自己認識能力がうまくなる。
【００１３】
更に、前記ロボットの感情属性テーブルは、前記ロボットの属性情報を含む知識マップによって取得されたものである。ロボットの知識マップには、例えばロボットの言語情報や表情情報、動作情報などの人為に設定されたいくつかの属性情報が含まれている。
【００１４】
第２の局面で、本発明は、
ユーザによって入力された多様な形式のデータであるマルチモード入力データを取得するためのデータ取得モジュールと、
前記ユーザによって入力された多様な形式のデータに基づき、感情識別を行い、識別されたユーザのマルチモード感情データを得るためのユーザ感情データ識別モジュールと、
前記識別されたユーザのマルチモード感情データを融合して、前記ユーザの感情データ予測結果を得るためのユーザ感情データ予測モジュールと、
ロボットの感情データを記述するためのロボット感情属性テーブルを取得し、前記ユーザの感情データ予測結果に基づき、前記ロボットの感情データを更新するためのロボット感情データ更新モジュールと、を含むロボットの感情データ更新システムを提供する。
【００１５】
本発明に係るロボットの感情データ更新システムの技術的解決手段は、まず、データ取得モジュールにって、ユーザによって入力された多様な形式のデータであるマルチモード入力データを取得し、その後、ユーザ感情データ識別モジュールによって、前記ユーザによって入力された多様な形式のデータに基づき、感情識別を行い、識別されたユーザのマルチモード感情データを得、そして、ユーザ感情データ予測モジュールによって、前記識別されたユーザのマルチモード感情データを融合し、前記ユーザの感情データ予測結果を得、最後に、ロボット感情データ更新モジュールによって、ロボットの感情データを記述するためのロボット感情属性テーブルを取得し、前記ユーザの感情データ予測結果に基づき、前記ロボットの感情データを更新することにある。  
【００１６】
本発明におけるロボットの感情データ更新システムでは、ユーザの感情識別データに基づいてロボットの感情データを更新する手段を採用し、ユーザによって入力された多様な形式のデータを識別することによって感情識別を行いユーザのマルチモード感情データを得た後、ユーザのマルチモード感情データを融合し、ここで、ロボットの感情データは、ロボット感情属性テーブルから取得された、予め人為設定された感情データであり、融合処理された後、予測される人の感情データを得、最後に、予測される人の感情データによって、予めに設定されたロボットの感情属性テーブルにおけるロボットの感情データを更新し、人の感情データに基づき、ロボットの感情データを更新することによって、ロボットの感情がもっと人の感情に近づくようにさせる。マルチモード入力データの持続増加によって、ロボットの感情データを絶えず更新し、ロボットの自己認識能力を絶えず向上させ、ユーザに対応する感情を持つフィードバックを与えることができ、且つ、絶えず更新することによって、ユーザの体験を向上させた。
【００１７】
更に、前記ロボットの感情データがロボットの言語データ及び表情データを含む。ロボットの感情データがロボットの言語データ及び表情データを含むことによって、人のように、ロボットも言語と表情によって感情を表現することが可能になる。
【００１８】
更に、前記ロボット感情データ更新モジュールには、
ロボットの感情データを記述するためのロボット感情属性テーブルを取得し、且つ前記ロボット感情属性テーブルによってロボットの言語データ及び表情データを得るためのロボットの感情データ取得モジュールと、
前記ユーザの感情データ予測結果に基づき、前記ロボットの言語データを更新して、前記ロボットの言語データの更新結果を得るための言語データ更新モジュールと、
前記ユーザの感情データ予測結果に基づき、前記ロボットの表情データを更新して、前記ロボットの表情データの更新結果を得るための表情データの更新モジュールと、を更に含む。
【発明の効果】
【００１９】
ロボットが同時に言語と表情によって感情を表現できる場合には、ロボットの言語データ及び表情データをそれぞれ更新する必要がある。ユーザの感情データ予測結果に基づき、ロボットの言語データ及び表情データを更新することによって、ロボットの感情データが人の感情データを基礎としてもっと人の感情に近づくようにさせることができる。
【００２０】
更に、前記マルチモード入力データは、音声入力データ、テキスト入力データ、画像入力データ、手振り識別データのうちの少なくとも一方である。マルチモード入力データとは、ユーザがロボットと対話する際に入力し、ユーザの感情が付けられたいくつかのデータである。このため、感情を表現するための手段は多く、音声や映像、テキスト、画像、手振りに大別される。マルチモード入力データの形式が多いほど、ロボットの自己認識能力がうまくなる。
【００２１】
更に、前記ロボットの感情属性テーブルは、前記ロボットの属性情報を含む知識マップによって取得されたものである。ロボットの知識マップには、例えばロボットの言語情報や表情情報、動作情報などの人為に設定されたいくつかの属性情報が含まれている。
以下、本発明の実施の形態や従来の技術における技術的解決手段をより明瞭に説明するために、実施の形態や従来の技術の説明に必要な図面を簡単に説明する。
【図面の簡単な説明】
【００２２】
【図１】図１は本発明の実施例１に係るロボットの感情データ更新方法を示すフローチャートである。
【図２】図２は本発明の実施例２に係るロボットの感情データ更新システムを示す模式図である。
【発明を実施するための形態】
【００２３】
以下、図面を参照して本発明の技術的解決手段の実施例について詳細に説明する。以下の実施例は、例として提示して、本発明の技術的解決手段をより明瞭に説明するためのものであるため、これによって本発明の保護範囲が制限されない。
【００２４】
実施例１
図１は、本発明の実施例１に係るロボットの感情データ更新方法を示すフローチャートである。図１に示すように、本発明の実施例１によるロボットの感情データ更新方法は、
ユーザによって入力された多様な形式のデータであるマルチモード入力データを取得するステップＳ１と、
ユーザによって入力された多様な形式のデータに基づき、感情識別を行い、識別されたユーザのマルチモード感情データを得るステップＳ２と、
識別されたユーザのマルチモード感情データを融合して、ユーザの感情データ予測結果を得るステップＳ３と、
ロボットの感情データを記述するためのロボット感情属性テーブルを取得し、ユーザの感情データ予測結果に基づき、ロボットの感情データを更新するステップＳ４と、を含む。
【００２５】
本発明に係るロボットの感情データ更新方法の技術的解決手段は、まず、ユーザによって入力された多様な形式のデータであるマルチモード入力データを取得し、その後、ユーザによって入力された多様な形式のデータに基づき、感情識別を行い、識別されたユーザのマルチモード感情データを得、そして、識別されたユーザのマルチモード感情データを融合して、ユーザの感情データ予測結果を得、最後に、ロボットの感情データを記述するためのロボット感情属性テーブルを取得し、ユーザの感情データ予測結果に基づき、ロボットの感情データを更新することにある。
【００２６】
本発明に係るロボットの感情データ更新方法では、ユーザの感情識別データに基づいてロボットの感情データを更新する手段を採用し、ユーザによって入力された多様な形式のデータを識別することによって感情識別を行い、ユーザのマルチモード感情データを得た後、ユーザのマルチモード感情データを融合し、ここで、ロボットの感情データは、ロボット感情属性テーブルから取得された、予め人為設定された感情データであり、融合処理された後、予測される人の感情データを得、最後に、予測される人の感情データによって、予めに設定されたロボットの感情属性テーブルにおけるロボットの感情データを更新し、人の感情データに基づき、ロボットの感情データを更新することによって、ロボットの感情がもっと人の感情に近づくようにさせる。マルチモード入力データの持続増加によって、ロボットの感情データを絶えず更新し、ロボットの自己認識能力を絶えず向上させ、ユーザに対応する感情を持つフィードバックを与えることができ、且つ、絶えず更新することによって、ユーザの体験を向上させた。
【００２７】
具体的には、ロボットの感情データがロボットの言語データ及び表情データを含む。ロボットの感情データがロボットの言語データ及び表情データを含むことによって、人のように、ロボットも言語と表情によって感情を表現することが可能になる。
【００２８】
具体的には、ステップＳ４には、
ロボットの感情データを記述するためのロボット感情属性テーブルを取得し、且つロボット感情属性テーブルによってロボットの言語データ及び表情データを得るステップＳ４１と、
ユーザの感情データ予測結果に基づき、ロボットの言語データを更新して、ロボットの言語データの更新結果を得るステップＳ４２と、
ユーザの感情データ予測結果に基づき、ロボットの表情データを更新して、ロボットの表情データの更新結果を得るステップＳ４３と、を更に含む。
【００２９】
ロボットが同時に言語と表情によって感情を表現できる場合には、ロボットの言語データ及び表情データをそれぞれ更新する必要がある。ユーザの感情データ予測結果に基づき、ロボットの言語データ及び表情データを更新することによって、ロボットの感情データが人の感情データを基礎としてもっと人の感情に近づくようにさせることができる。
【００３０】
データの融合処理には、一般に、平均値を求める方法、重み付け処理、又は重みを求める方法を採用してよい。ユーザのマルチモード感情データを例とすると、ユーザのマルチモード感情データについて平均値を求める処理を行うことによって、ユーザの感情データの予測結果を得ることができる。人間は、言語、表情、動作などの様々な形式で感情を表現することができ、これらの人の感情を表現するデータを融合して、人の感情を表現する予測結果（喜怒哀楽などの気分）を得た後、人の感情データの予測結果をロボットの感情データを更新する基礎とすることによって、ロボットの言語データが人が表現しようとする感情にもっと接近するようにさせる。それと同様に、重み付け処理、又は重みを求める方法の採用も、ロボットが表現しようとする感情が人が表現しようとする感情に接近させることに狙い、更に、ロボットの自己認識能力を向上させ、ユーザに感情を持つフィードバックを与えることができるようになっている。
【００３１】
具体的には、マルチモード入力データは、音声入力データ、テキスト入力データ、画像入力データ、手振り識別データのうちの少なくとも一方である。マルチモード入力データとは、ユーザがロボットと対話する際に入力し、ユーザの感情が付けられたいくつかのデータである。このため、感情を表現するための手段は多く、音声や映像、テキスト、画像、手振りに大別される。マルチモード入力データの形式が多いほど、ロボットの自己認識能力がうまくなる。
【００３２】
ここで、ユーザによって入力された多様な形式のデータに感情識別処理を行うことは、具体的には、ユーザによって入力されたテキストデータを例とすると、テキスト感情を識別し、テキストデータを人工でマークし、テキストデータに含まれている口ぶり、意味などに基づき、テキスト情報に合わせて、ユーザによって入力されたテキストデータの感情を識別し、同じ方法を適用することで、音声をテキストに変換した後、音声の感情を識別することができる。なお、映像に含まれている画像データによって、表情を識別し、表情により感情を識別することもできる。
【００３３】
具体的には、ロボットの感情属性テーブルは、ロボットの属性情報を含む知識マップによって取得されたものである。ロボットの知識マップには、例えばロボットの言語情報や表情情報、動作情報などの人為に設定されたいくつかの属性情報が含まれている。
【００３４】
前記設定によって、ロボットは、自己認識能力に基づいてユーザに感情を持つフィードバックを与えることができる。例えば、ユーザが「今日昇給した。」と言うと、ロボットは、ユーザの話から識別した感情に基づいて感情を持つフィードバックを与え、例えば、「ご主人様は偉い！」と答えるとともに、喜ぶ表情をする。このように、ロボットは感情を持って人と対話することができ、より人間化になっている。また、ロボットは、ユーザによって絶えず入力されたマルチモードデータに基づいて持続的に更新することで、自己認識能力を向上させる。
【００３５】
実施例２
図２は、本発明の実施例２に係るロボットの感情データ更新システムを示す模式図である。図２に示すように、本発明の実施例２によるロボットの感情データ更新システム１０は、
ユーザによって入力された多様な形式のデータであるマルチモード入力データを取得するためのデータ取得モジュール１０１と、
ユーザによって入力された多様な形式のデータに基づき、感情識別を行い、識別されたユーザのマルチモード感情データを得るためのユーザ感情データ識別モジュール１０２と、
識別されたユーザのマルチモード感情データを融合して、ユーザの感情データ予測結果を得るためのユーザ感情データ予測モジュール１０３と、
ロボットの感情データを記述するためのロボット感情属性テーブルを取得し、ユーザの感情データ予測結果に基づき、ロボットの感情データを更新するためのロボット感情データ更新モジュール１０４と、を含む。
【００３６】
本発明に係るロボットの感情データ更新システム１０の技術的解決手段は、まず、データ取得モジュール１０１にって、ユーザによって入力された多様な形式のデータであるマルチモード入力データを取得し、その後、ユーザ感情データ識別モジュール１０２によって、ユーザによって入力された多様な形式のデータに基づき、感情識別を行い、識別されたユーザのマルチモード感情データを得、そして、ユーザ感情データ予測モジュール１０３によって、識別されたユーザのマルチモード感情データを融合し、ユーザの感情データ予測結果を得、最後に、ロボット感情データ更新モジュール１０４によって、ロボットの感情データを記述するためのロボット感情属性テーブルを取得し、ユーザの感情データ予測結果に基づき、ロボットの感情データを更新することにある。
【００３７】
本発明に係るロボットの感情データ更新システム１０では、ユーザの感情識別データに基づいてロボットの感情データを更新する手段を採用し、ユーザによって入力された多様な形式のデータを識別することによって感情識別を行いユーザのマルチモード感情データを得た後、ユーザのマルチモード感情データを融合し、ここで、ロボットの感情データは、ロボット感情属性テーブルから取得された、予め人為設定された感情データであり、融合処理された後、予測される人の感情データを得、最後に、予測される人の感情データによって、予めに設定されたロボットの感情属性テーブルにおけるロボットの感情データを更新し、人の感情データに基づき、ロボットの感情データを更新することによって、ロボットの感情がもっと人の感情に近づくようにさせる。マルチモード入力データの持続増加によって、ロボットの感情データを絶えず更新し、ロボットの自己認識能力を絶えず向上させ、ユーザに対応する感情を持つフィードバックを与えることができ、且つ、絶えず更新することによって、ユーザの体験を向上させた。
【００３８】
具体的には、ロボットの感情データがロボットの言語データ及び表情データを含む。ロボットの感情データがロボットの言語データ及び表情データを含むことによって、人のように、ロボットも言語と表情によって感情を表現することが可能になる。
【００３９】
具体的には、ロボット感情データ更新モジュール１０４には、
ロボットの感情データを記述するためのロボット感情属性テーブルを取得し、且つロボット感情属性テーブルによってロボットの言語データ及び表情データを得るためのロボットの感情データ取得モジュール１０４１と、
ユーザの感情データ予測結果に基づき、ロボットの言語データを更新して、ロボットの言語データの更新結果を得るための言語データ更新モジュール１０４２と、
ユーザの感情データ予測結果に基づき、ロボットの表情データを更新して、ロボットの表情データの更新結果を得るための表情データの更新モジュール１０４３と、を更に含む。
【００４０】
ロボットが同時に言語と表情によって感情を表現できる場合には、ロボットの言語データ及び表情データをそれぞれ更新する必要がある。ユーザの感情データ予測結果に基づき、ロボットの言語データ及び表情データを更新することによって、ロボットの感情データが人の感情データを基礎としてもっと人の感情に近づくようにさせることができる。
【００４１】
具体的には、マルチモード入力データは、音声入力データ、テキスト入力データ、画像入力データ、手振り識別データのうちの少なくとも一方である。マルチモード入力データとは、ユーザがロボットと対話する際に入力し、ユーザの感情が付けられたいくつかのデータである。このため、感情を表現するための手段は多く、音声や映像、テキスト、画像、手振りに大別される。マルチモード入力データの形式が多いほど、ロボットの自己認識能力がうまくなる。
【００４２】
具体的には、ロボットの感情属性テーブルは、ロボットの属性情報を含む知識マップによって取得されたものである。ロボットの知識マップには、例えばロボットの言語情報や表情情報、動作情報などの人為に設定されたいくつかの属性情報が含まれている。
【００４３】
以上に説明したように、本発明に係るロボットの感情データ更新方法及びシステムは、ユーザの感情識別データに基づいてロボットの感情データを更新する手段を採用し、簡単な方法で実現でき、ロボットがユーザに感情を持つフィードバックを適当に与えることができるようにさせ、且つロボットの自己認識に持続性を持たせるようにロボットの感情データを絶えず更新でき、より人間化になり、ユーザの体験を更に向上させたという利点がある。
【００４４】
最後に、説明すべきのは、以上の各実施例は、本発明の技術的解決手段を説明するだけで、それを制限することは意図していない。前記各実施例を参照して本発明を詳細に説明したが、当業者は依然として前記各実施例に記載の技術的解決手段を変更し、又はその中の一部やすべての技術特徴を同等のものに置き換えることができると理解すべきである。これらの変更や置き換えは、対応した技術的解決手段の本質が本発明の各実施例の技術的解決手段の範囲から逸脱するようにさせなく、何れも本発明の特許請求の範囲と明細書の範囲に含まれべきである。
【図１】
2018534641.tif 000003
【図２】
2018534641.tif 000004
【国際調査報告】
2018534641.tif 000005
2018534641.tif 000006
2018534641.tif 000007
2018534641.tif 000008
2018534641.tif 000009
2018534641.tif 000010